(57)【要約】【課題】  コストダウン化と使い勝手の改善が図れ、施工性が向上するトイレ用キャビネット及びその施工方法を提供する。【解決手段】  内部にロータンク３が収納され前面に便器５が設けられるキャビネット本体２の側方に、前面に扉１０ａ，１０ｂを有する収納部Ｓａ，Ｓｂが形成されたトイレ用キャビネット１において、キャビネット本体２の左右のトイレ壁１４ｂ，１４ｃに扉吊元９，９を固定し、この扉吊元９，９に扉１０ａ，１０ｂを開閉可能に設けて構成する。【選択図】        図２
2006000401.tif 000002
【特許請求の範囲】
【請求項１】
内部にロータンクが収納され前面に便器が設けられるキャビネット本体の側方に、前面に扉を有する収納部が形成されてなるトイレ用キャビネットにおいて、前記キャビネット本体の左方及び／または右方のトイレ壁に扉吊元を垂直に固定し、該扉吊元に前記扉を開閉可能に設けたことを特徴とするトイレ用キャビネット。
【請求項２】
下端縁に巾木を有する前記トイレ壁に対し、巾木の上方に前記扉吊元を固設するとともに、該扉吊元の下端側に、前記巾木を隠す化粧材を垂直に取り付けたことを特徴とする請求項１に記載のトイレ用キャビネット。
【請求項３】
前記請求項１に記載のトイレ用キャビネットを施工するに際し、施工型紙を用いて前記扉吊元の、床からの高さと、前記キャビネット本体の奥側のトイレ壁からの距離を位置決めすることを特徴とするトイレ用キャビネットの施工方法。
【請求項４】
前記施工型紙の下端には、前記キャビネット本体の奥側のトイレ壁に設けられた巾木を回避するための切欠が設けられているとともに、前記施工型紙の表裏には、前記キャビネット本体の左方及び／または右方のトイレ壁に設けられた巾木を回避するためのスペーサーが設けられていることを特徴とする請求項３に記載のトイレ用キャビネットの施工方法。
【発明の詳細な説明】
【技術分野】
【０００１】
本発明は、トイレ用キャビネット及び、そのキャビネットの施工方法に関するものである。
【背景技術】
【０００２】
従来、トイレ用キャビネットは特許文献１に開示されているように構成されている。即ち、ロータンクを収納するキャビネット本体の左右側に、ヒンジを介して収納部の扉が設けられている。
【特許文献１】特開２００３−３２８４２１号公報
【発明の開示】
【発明が解決しようとする課題】
【０００３】
従来のトイレ用キャビネットは、キャビネット本体にヒンジを介して扉が設けられ、この扉の扉吊元も一体で形成されているため、キャビネット全体が箱形になっているものに比べてコストの低減，収納スペースの拡張が期待できるが、扉がトイレ壁とは反対側のキャビネット本体側を軸として回動するように開くため、開いた時にキャビネット本体側の前方に扉が突出することになり、扉自体が邪魔で、収納品を出し入れしにくいという問題点があった。
【課題を解決するための手段】
【０００４】
本発明は上記従来の問題点に鑑み案出したものであって、使い勝手を改善し、コストを低減させて、現場での施工性が向上するトイレ用キャビネット及びその施工方法を提供せんとするものであり、請求項１のトイレ用キャビネットは、内部にロータンクが収納され前面に便器が設けられるキャビネット本体の側方に、前面に扉を有する収納部が形成されてなるトイレ用キャビネットにおいて、キャビネット本体の左方及び／または右方のトイレ壁に扉吊元を垂直に固定し、該扉吊元に前記扉を開閉可能に設けたことである。
また、請求項２のトイレ用キャビネットは、下端縁に巾木を有する前記トイレ壁に対し、巾木の上方に前記扉吊元を固設するとともに、該扉吊元の下端側に、前記巾木を隠す化粧材を垂直に取り付けたことである。
【０００５】
また、請求項３のトイレ用キャビネットの施工方法は、前記請求項１に記載のトイレ用キャビネットを施工するに際し、施工型紙を用いて前記扉吊元の、床からの高さと、前記キャビネット本体の奥側のトイレ壁からの距離を位置決めすることである。
また、請求項４のトイレ用キャビネットの施工方法は、前記施工型紙の下端には、前記キャビネット本体の奥側のトイレ壁に設けられた巾木を回避するための切欠が設けられているとともに、前記施工型紙の表裏には、前記キャビネット本体の左方及び／または右方のトイレ壁に設けられた巾木を回避するためのスペーサーが設けられていることである。
【発明の効果】
【０００６】
本発明のトイレ用キャビネットは、キャビネット本体の左方及び／または右方のトイレ壁に扉吊元を垂直に固定し、扉吊元に扉を開閉可能に設けたことにより、従来のように、キャビネット本体と扉吊元が一体で形成されたものではなく、別体に形成されて、現場のトイレ壁に扉吊元を固定し、この扉吊元に扉を開閉可能に設けることができ、現場への部材の搬入も容易であり、施工性が向上したものとなる。
また、キャビネット全体が箱形でないため、部屋の開口の変更に対して扉を製作するだけで対応でき、コストダウン化と製作納期の短縮が図れる。さらに、扉は壁側を軸としてキャビネット本体側が回動して開くので、収納物の出し入れの際に扉が邪魔になることがなく、使い勝手が良くなる。
【０００７】
また、下端縁に巾木を有するトイレ壁に対し、巾木の上方に扉吊元を固設するとともに、扉吊元の下端側に、巾木を隠す化粧材を垂直に取り付けたことにより、巾木が存在しても施工手順が殆ど変わることがなく、施工及び意匠の均一化が図れるものとなる。
【０００８】
また、トイレ用キャビネットを施工するに際し、切欠やスペーサーを設けた施工型紙を用いて扉吊元をトイレ壁へ位置決めすることとしたため、扉吊元の前後上下の位置出しが施工型紙でできるため、扉吊元がキャビネット本体と一体でなくても、納まり良く現場で施工し、トイレ用キャビネットを構築することができるものとなる。
【０００９】
また、施工型紙の下端に巾木を回避する切欠を設けたので、扉吊元を正確に位置決めできる。そして、さらに施工型紙の表裏にスペーサーを設けたので、右壁または左壁の巾木を回避して施工型紙を垂直に配置でき、扉吊元を正確に位置決めすることができる。
【実施例】
【００１０】
以下、本発明の実施例を図面に基づいて説明する。
図１は、トイレ用キャビネットの構成部材の分解斜視図であり、図２は、トイレ用キャビネットをトイレ室内に設置した状態の斜視構成図である。
【００１１】
図において、トイレ用キャビネット１は、ロータンク３が内部に収納されるキャビネット本体２の前面に、前板４が設置され、この前板４の前面に便器５が設置されるものであり、また、便器５の左右側には横板６，６が設けられるものである。また、キャビネット本体２の上面左右にはカウンター７，７が設置され、上面中央部には手洗器８が設置されるものである。
【００１２】
また、トイレ室１４を構成する右壁１４ｂ及び左壁１４ｃには、それぞれ垂直に左右の扉吊元９，９が固定され、各扉吊元９，９には、ヒンジ１９を介して開閉可能に右扉１０ａ，左扉１０ｂが設けられ、各扉１０ａ，１０ｂの先端にはエッジ材１１，１１が設けられ、この各エッジ材１１，１１が前板４の前側に重ね合わされて設置されるものである。また、左右の扉吊元９，９の下端には化粧材１２，１２が取り付けられるものである。
【００１３】
なお、図２に示すように、右扉１０ａの奥側には、右壁１４ｂと奥壁１４ａ間で右収納部Ｓａが形成され、また、左扉１０ｂの奥側には、奥壁１４ａと左壁１４ｃ間に左収納部Ｓｂが形成され、キャビネット本体２の左右にそれぞれ収納部Ｓａ，Ｓｂが形成されるものである。
この各収納部Ｓａ，Ｓｂは、前面側の扉１０ａ，１０ｂを開けることで内部に備品等を良好に収納することができるものとなる。
【００１４】
図３では、左右の扉１０ａ，１０ｂを施工した状態を示すものであり、例えば左側の左扉１０ｂを現場に施工する際には、図４に示すような施工型紙１６が用いられる。
この図４に示す施工型紙１６は、右端縁を奥壁１４ａに当接させて、左壁１４ｃに沿って配置されるものであり、施工型紙１６の右端側には、カウンター受け１３の床からの高さを位置決めする凹部１６ｃが形成され、また、左端側には、コの字状に位置決め凹部１６ａが切欠形成されており、また、右端側の下端には、奥壁１４ａに設けられた巾木１５を回避するための切欠１６ｂが形成されている。
【００１５】
なお、右壁１４ｂ及び左壁１４ｃに設けられた巾木１５を回避するために、施工型紙１６の表裏には、それぞれ巾木１５の厚み分のスペーサー１７，１７が一体化されている。
なお、スペーサー１７，１７は、施工型紙１６を配置させた状態で、右壁１４ｂ及び左壁１４ｃに設けられた巾木１５と干渉しない位置に設けられている。
【００１６】
図４のように施工型紙１６を左壁１４ｃに配置させた状態で、図５に示すように、施工型紙１６の位置決め凹部１６ａ内に、左扉１０ｂの扉吊元９を嵌め込んで、扉吊元９を位置決めすることができ、この扉吊元９には、上下方向に間隔をおいて３個の横長孔９ａ，９ａ，９ａが形成されているため、この横長孔９ａにワッシャー２０を介在させて木ネジ２１を差し込み、木ネジ２１を左壁１４ｃにねじ込んで、扉吊元９をその奥壁１４ａからの距離と床からの高さを位置決めして、左壁１４ｃに固定することができるものである。
なお、この場合、図５に示すように、左扉１０ｂ及びエッジ材１１の下端には治具１８を嵌め込んで、傾かないように保持しておくことができる。
【００１７】
このように、施工型紙１６を用いて正確な位置に扉吊元９を固定することができ、施工が容易なものとなる。
同様に、右側の右扉１０ａの扉吊元９においても、施工型紙１６を表裏反転させて、右壁１４ｂに当接させて、良好に右側の扉吊元９を位置決めして固定することができるものである。
なお、この場合、現場によっては奥壁１４ａに倒れが生じている場合もあり、この奥壁１４ａに当接させてキャビネット本体２を設置すると、キャビネット本体２も奥壁１４ａの倒れに合わせて倒れた状態となるため、このキャビネット本体２の倒れに合わせて前記横長孔９ａを介して扉吊元９の固定位置を前後方向に調整することができ、扉吊元９の前後方向を調整することで、キャビネット本体２の前面と整合する位置に左右の扉１０ａ，１０ｂを配置することができるものとなり、現場の誤差に対し良好に調整が可能である。
なお、図６には、横長孔９ａで前後方向の調整をする際の要部拡大斜視図を示している。
【００１８】
また、右壁１４ｂまたは左壁１４ｃに倒れが生じているような場合もあるが、そのような場合に、左右の扉１０ａ，１０ｂの先端にはそれぞれエッジ材１１，１１が取り付けられているため、この各エッジ材１１が前板４の前側に被さり、エッジ材１１により目地が発生しないため、前板４側へ左右の扉１０ａ，１０ｂが多少倒れても、エッジ材１１，１１により前板４との境界線が判りにくくなり、意匠上、スッキリとした設置状態が得られるものであり、現場の誤差に対する調節性及び意匠性が向上されるものとなる。
【００１９】
また、トイレ室１４の壁１４ａ，１４ｂ，１４ｃの下端に巾木１５が横設されているような現場においては、図７及び図８に示すように、化粧材１２が、扉吊元９の下端に同軸状に垂直に木ネジ２１で取り付けられて、巾木１５が良好に隠され、意匠性が向上されるものである。
なお、この化粧材１２を取り付ける際には、最下端の横長孔９ａに木ネジ２１を仮止めしておき、取り外して、化粧材１２を固定するためにこの木ネジ２１を用いることができるものである。
【００２０】
なお、化粧材１２は、図９に拡大斜視図で示すように、前面上端にネジを入れるための切欠部１２ａが形成されており、現場の巾木１５の形状に合わせて現場で裏面側にカット部１２ｂを形成させることができるように構成されており、現場でカット部１２ｂを形成させて、図８に示すように、このカット部１２ｂを巾木１５に当て、巾木１５を回避しながら、良好に化粧材１２を扉吊元９の下端に連結し、化粧処理することができるものである。
【００２１】
このように本例では、キャビネット本体２に対し、左右の扉１０ａ，１０ｂは別体で形成されており、左右の扉１０ａ，１０ｂにヒンジ１９を介し連結されている扉吊元９，９を、現場で施工型紙１６を用いて正確な位置に取り付け固定し施工することができ、施工が容易なものとなる。
また、キャビネット全体が箱形でないため、部屋の開口の変更に対して扉を製作するだけで対応でき、コストダウン化と製作納期の短縮が図れるものとなる。しかも、扉は奥側を軸としてキャビネット本体側が回動して開くので、収納物の出し入れの際に扉が邪魔になることがなく、使い勝手が良くなる。
【図面の簡単な説明】
【００２２】
【図１】トイレ用キャビネットの構成部材の分解斜視図である。
【図２】図１の構成部材を現場のトイレ室内に組み付けて施工した状態の斜視構成図である。
【図３】現場において、左右の扉を施工した状態の斜視構成図である。
【図４】図３の扉を施工する際に用いられる施工型紙の配置状態の斜視構成図である。
【図５】施工型紙に対し扉の扉吊元を、奥壁からの距離と床からの高さを位置決めした状態の施工図である。
【図６】さらに扉吊元の横長孔を介して壁の倒れに対する前後方向位置を調整している施工状態図である。
【図７】さらに扉吊元の下端に化粧材を取り付ける前の分解斜視図である。
【図８】扉吊元の下端に化粧材を連結して巾木を隠した状態斜視図である。
【図９】化粧材の拡大斜視図である。
【符号の説明】
【００２３】
１  トイレ用キャビネット
２  キャビネット本体
３  ロータンク
４  前板
５  便器
６  横板
７  カウンター
９  扉吊元
９ａ  横長孔
１０ａ  右扉
１０ｂ  左扉
１１  エッジ材
１２  化粧材
１２ｂ  カット部
１４  トイレ室
１４ａ  奥壁
１４ｂ  右壁
１４ｃ  左壁
１５  巾木
１６  施工型紙
１６ａ  位置決め凹部
１６ｂ  切欠
１７  スペーサー
１９  ヒンジ
２１  木ネジ
Ｓａ  右収納部
Ｓｂ  左収納部
【図１】
2006000401.tif 000003
【図２】
2006000401.tif 000004
【図３】
2006000401.tif 000005
【図４】
2006000401.tif 000006
【図５】
2006000401.tif 000007
【図６】
2006000401.tif 000008
【図７】
2006000401.tif 000009
【図８】
2006000401.tif 000010
【図９】
2006000401.tif 000011